(57)【要約】【課題】ねじの締付けなどにより潰れ変形した電線の断面を円形状に修復する電線工具を提供する。【解決手段】扁平状の電線又は凹んだ電線を、横断面が円となるように修復する電線工具１であって、支軸３３を介して回動自在に連結された左右一対のグリップ２１ａ、２１ｂと、凹部１７ａ、１７ｂに電線を挟み込み前記電線の横断面が円となるように形状に整えるスライド可能な左右一対の挟み込み片を有する挟み込み体１０と、前記左右のグリップ２１ａ、２１ｂの先端部と前記左右の挟み込み片１２ａ、１２ｂの基端部とを連結する連結機構３１と、を備え、前記連結機構３１は、前記支軸３３を支点に左右に回動するグリップ２１ａ、２１ｂの回動運動を往復運動に変換し前記挟み込み片１２ａ、１２ｂに伝達する。【選択図】図２
2019126221.tif 000002
【特許請求の範囲】
【請求項１】
扁平状の電線又は凹んだ電線を、横断面が円となるように修復する電線工具であって、
支軸を介して回動自在に連結された左右一対のグリップと、
凹部に電線を挟み込み前記電線の横断面が円となるように形状に整えるスライド可能な左右一対の挟み込み片を有する挟み込み体と、
前記左右のグリップの先端部と前記左右の挟み込み片の基端部とを連結する連結機構と、
を備え、
前記連結機構は、前記支軸を支点に左右に回動するグリップの回動運動を往復運動に変換し前記挟み込み片に伝達することを特徴とする電線工具。
【請求項２】
前記挟み込み体は、左右それぞれの挟み込み片が半円柱状の前記凹部を有し、左右の挟み込み片が閉じられると半円柱状の凹部が合わさり、円柱状の凹部が形成されることを特徴とする請求項１に記載の電線工具。
【請求項３】
前記挟み込み体は、前記グリップを回動させると、前記左右一対の挟み込み片が互いに平行状態を維持したまま近接し又は離れるようにスライドすることを特徴とする請求項１又は２に記載の電線工具。
【請求項４】
前記挟み込み体は、左右それぞれの挟み込み片が直径の異なる複数の半円柱状の前記凹部を有し、左右の挟み込み片が閉じられると半円柱状の凹部が合わさり、直径の異なる複数の円柱状の凹部が形成されることを特徴とする請求項１から３のいずれか１項に記載の電線工具。
【請求項５】
前記グリップ及び前記挟み込み体は、一方のグリップと一方の挟み込み片が前記連結機構を介することなく直接連結されていることを特徴とする請求項１から４のいずれか１項に記載の電線工具。
【発明の詳細な説明】
【技術分野】
【０００１】
本発明は、ねじの締付けにより潰れ変形した電線等の形状を修復する工具に関する。
【背景技術】
【０００２】
電力量計は、お客さまからの電気の不使用、再使用の届けにより、電線の接続、取り外しが行われる。電気使用量の多いお客さまの電力量計の電線は径が太く、電力量計から取外された電線は、以前接続していたときのねじの締付けにより電線が潰れ変形している。このような電線の再度の接続は、電線挿入が難しく余計な力が入ることにより滑ってしまい感電、短絡により機器を破損させることがある。
【０００３】
電力計の電線に限らず変形した電線は、ペンチ、プライヤ等を用いてある程度円形に整えることはできるが、素線がばらけ易くきれいに形を整えるのは簡単ではない。またペンチ、プライヤ等は、左右の挟持片が支軸を中心に扇状に開閉するため、太い電線は滑り易いという問題がある。
【０００４】
先行特許文献を調査すると、電線形状の修復、修正に関連する工具として、電線に取付け使用される圧着端子の変形を修正するペンチ式工具があったが（例えば特許文献１参照）、この工具もねじの締付けにより変形した電線の修復には適さない。この他、ねじの締付けにより変形した電線を修復する工具に関係する先行特許文献は見つからなかった。
【先行技術文献】
【特許文献】
【０００５】
【特許文献１】実開平５−６７７０号公報
【発明の概要】
【発明が解決しようとする課題】
【０００６】
上記説明では、電力量計で使用される電線の変形を取り上げたが、ねじの締付けにより変形した電線は多くの場面で見受けられ、それらの電線の修復が必要な場合も多い。しかしながら現在、ねじの締付けにより変形した電線を元の形状に修復する適切な工具はなく、ペンチ等で代用しているのが実情である。
【０００７】
本発明の目的は、ねじの締付けなどにより潰れ変形した電線の断面を円形状に修復する電線工具を提供することである。
【課題を解決するための手段】
【０００８】
本発明は、扁平状の電線又は凹んだ電線を、横断面が円となるように修復する電線工具であって、支軸を介して回動自在に連結された左右一対のグリップと、凹部に電線を挟み込み前記電線の横断面が円となるように形状に整えるスライド可能な左右一対の挟み込み片を有する挟み込み体と、前記左右のグリップの先端部と前記左右の挟み込み片の基端部とを連結する連結機構と、を備え、前記連結機構は、前記支軸を支点に左右に回動するグリップの回動運動を往復運動に変換し前記挟み込み片に伝達することを特徴とする電線工具である。
【０００９】
本発明の電線工具において、前記挟み込み体は、左右それぞれの挟み込み片が半円柱状の前記凹部を有し、左右の挟み込み片が閉じられると半円柱状の凹部が合わさり、円柱状の凹部が形成されることを特徴とする。
【００１０】
本発明の電線工具において、前記挟み込み体は、前記グリップを回動させると、前記左右一対の挟み込み片が互いに平行状態を維持したまま近接し又は離れるようにスライドすることを特徴とする。
【００１１】
本発明の電線工具において、前記挟み込み体は、左右それぞれの挟み込み片が直径の異なる複数の半円柱状の前記凹部を有し、左右の挟み込み片が閉じられると半円柱状の凹部が合わさり、直径の異なる複数の円柱状の凹部が形成されることを特徴とする。
【００１２】
本発明の電線工具において、前記グリップ及び前記挟み込み体は、一方のグリップと一方の挟み込み片が前記連結機構を介することなく直接連結されていることを特徴とする。
【発明の効果】
【００１３】
本発明によればねじの締付けなどにより潰れ変形した電線の断面を円形状に修復する電線工具を提供することができる。
【図面の簡単な説明】
【００１４】
【図１】本発明の第１実施形態の電線工具１の斜視図（Ａ）及び電線工具１の使用例を示す斜視図（Ｂ）である。
【図２】本発明の第１実施形態の電線工具１の構成を説明するための平面図である。
【図３】本発明の第１実施形態の電線工具１の挟み込み片１２ａ、１２ｂの斜視図（Ａ）、（Ｂ）及び挟み込み体１０の斜視図（Ｃ）である。
【図４】本発明の第１実施形態の電線工具１のホルダー５１の構成図である。
【図５】本発明の第１実施形態の電線工具１の連結機構３１を説明するための斜視図である。
【図６】本発明の第１実施形態の電線工具１の連結機構３１の歯車３５の変形例である。
【図７】本発明の第２実施形態の電線工具２の挟み込み体１１の分解図（Ａ）及び電線工具２の使用例を示す斜視図（Ｂ）である。
【図８】本発明の第３実施形態の電線工具３の構成を説明するための平面図である。
【発明を実施するための形態】
【００１５】
図１は、本発明の第１実施形態の電線工具１の斜視図（Ａ）及び電線工具１の使用例を示す斜視図（Ｂ）である。図２は、電線工具１の構成を説明するための平面図、図３は、電線工具１の挟み込み片１２ａ、１２ｂの斜視図（Ａ）、（Ｂ）及び挟み込み体１０の斜視図（Ｃ）である。図４は、電線工具１のホルダー５１の構成図、図５は、電線工具１の連結機構３１を説明するための斜視図であり、ホルダーの側壁５６を取り除き見た図である。
【００１６】
本実施形態で左右とは、図２において左側、右側をいい、例えば左右一対の挟み込み片１２ａ、１２ｂであれば、図２において左側に位置する挟み込み片１２ｂが左の挟み込み片であり、左右一対のグリップ２１ａ、２１ｂであれば、図２において左側に位置するグリップ２１ｂが左のグリップとなる。
【００１７】
電線工具１は、ねじの締付けなどにより潰れ扁平状に変形した電線１０１、あるいは凹んだ電線１０１の横断面が円となるように修復するための工具であり、電線１０１の形状を整える挟み込み体１０と、挟み込み体１０を開閉するグリップ２１と、挟み込み体１０とグリップ２１とを連結する連結機構３１とを備える。電線工具１は、全体的な形状がプライヤあるいはヤットコに似ているが、挟み込み体１０が、グリップ２１と直接連結していない点等において、従来のプライヤあるいはヤットコとは構造が根本的に異なる。
【００１８】
挟み込み体１０は、同一の構造、形状からなる左右一対の挟み込み片１２ａ、１２ｂからなり、ねじの締付けなどにより潰れ扁平状に変形した電線１０１、あるいは凹んだ電線１０１を挟み込み、電線１０１の横断面を円に修復する。ここで電線１０１の横断面を円に修復するとは、完全な円のみならずほぼ円とみなすことができるものを含む。挟み込み片１２ａと挟み込み片１２ｂとは同一構造、形状ゆえ、以下、挟み込み片１２ａを中心に説明する。
【００１９】
挟み込み片１２ａは、矩形形状の金属製の部材であり、挟み込み片１２ｂに対向する面１３ａの中心に先端部１５ａから基端部１６ａに向かい半円柱状の凹部１７ａが設けられている。挟み込み片１２ａと挟み込み片１２ｂとは、凹部１７ａ、１７ｂが設けられた面１３ａ、１３ｂが向き合うように配置されており（図３（Ｃ））、挟み込み体１０を閉じ互いの面１３ａ、１３ｂを接触させると、半円柱状の凹部１７ａ、１７ｂが合わさり円柱状の凹部１８が形成される。
【００２０】
修復後の電線１０１の直径は、基本的に円柱凹部１８の直径で決まるため円柱凹部１８の直径は、変形前の電線１０１の直径と同じものが好ましい。円柱凹部１８の長さは、電線１０１の変形部分よりも少し長く設定するのがよい。円柱凹部１８の大きさは、特に限定されるものではないが、最大で直径１０ｍｍ、長さは３０ｍｍ程度が想定される。なお、第２実施形態の電線工具２に示すように挟み込み体１１に大きさの異なる円柱凹部１８を設けることも可能である（図７参照）。
【００２１】
グリップ２１は、同一の構造、形状からなる左右一対のグリップ２１ａ、２１ｂを備え、連結機構３１を介して挟み込み体１０に連結する。具体的にはグリップ２１ａは、連結機構３１を介して挟み込み片１２ｂに、グリップ２１ｂは、連結機構３１を介して挟み込み片１２ａに連結し挟み込み体１０を開閉する。グリップ２１ａとグリップ２１ｂとは同一の構造、形状ゆえ、以下、グリップ２１ｂを中心に説明する。
【００２２】
グリップ２１ｂは、金属製であり、湾曲した持ち手部２２ｂの先端部に円板状の連結部２３ｂを備える。持ち手部２２ｂは、公知のプライヤのグリップと類似の形状を有し、絶縁カバー２５ｂが装着されている。連結部２３ｂは、中心に支軸３３が挿通する貫通孔２４ｂが穿設され、先端周面には連結機構３１を構成するラック４１ａに噛み合う歯車（歯部）３５ｂが設けられている。グリップ２１ｂに設けられた歯車３５ｂは、連結機構３１の一部をなす。
【００２３】
連結機構３１は、グリップ２１ａ、２１ｂに設けられた歯車３５ａ、３５ｂ、歯車３５ａ、３５ｂに噛み合うラック４１ａ、４１ｂ、歯車３５ａ、３５ｂ、ラック４１ａ、４１ｂを収容するホルダー５１、支軸３３を含み、挟み込み体１０とグリップ２１とを連結する。
【００２４】
ラック４１ａは、大略的には長方体形状を有し、底面に歯部４２ａを備える。ラック４１ａの幅Ｗ２は、挟み込み片１２ａの幅Ｗ１の半分であり、ラック４１ａの長さＬ２は、挟み込み片１２ａの厚さＴ１よりも長く設定されている。ラック４１ａは、ラックの上端４３ａが挟み込み片１２ａの下端に、ラック４１ａと挟み込み片１２ａとが直交するように取り付けられている（図３参照）。
【００２５】
ラック４１ａは、外側側面４４ａにホルダーの側壁５５に設けられた直線状の凹溝５８に摺動自在に嵌り込む直線状の凸条４６ａを有する。またラック４１ａは、内側側面４５ａにラック４１ｂの内側側面４５ｂに設けられた直線状の凹溝４８ｂに摺動自在に嵌り込む直線状の凸条４７ａを有する。
【００２６】
ラック４１ｂは、大略的には長方体形状を有し、底面に歯部４２ｂを備える。ラック４１ｂの幅Ｗ２は、挟み込み片１２ｂの幅Ｗ１の半分であり、ラック４１ｂの長さＬ２は、挟み込み片１２ｂの厚さＴ１よりも長く設定されている。ラック４１ｂは、ラックの上端４３ｂが挟み込み片１２ｂの下端に、ラック４１ｂと挟み込み片１２ｂとが直交するように取り付けられている（図３参照）。
【００２７】
ラック４１ｂは、外側側面４４ｂにホルダーの平板５３に設けられた直線状の凹溝５９に摺動自在に嵌り込む直線状の凸条４６ｂを有する。またラック４１ｂは、内側側面４５ｂにラック４１ａの内側側面４５ａに設けられた直線状の凸条４７ａが摺動自在に嵌り込む直線状の凹溝４８ｂを有する。
【００２８】
ホルダー５１は、横断面がコ字状の板材５２と平板５３とで構成され、上面及び底面が開口した横断面が矩形の角筒形状を有する（図４参照）。コ字状の板材５２は、３つの側壁５４、５５、５６を有し、対向する側壁５４と側壁５６とは同じ形状である。平板５３は、ホルダー５１の一側面を形成し、側壁５５と同じ大きさである。
【００２９】
グリップ２１の開閉方向に直交するように配置されるホルダーの側壁５４及び側壁５６は、下端が平板５３及び側壁５５よりも短くなっている。ホルダーの側壁５４及び側壁５６の下端の位置は、グリップ２１の可動範囲から決められている。具体的には、挟み込み体１０を開くべくグリップ２１を開いたとき、グリップ２１がホルダーの側壁５４及び側壁５６の下端５７に接触しないように設定されている。
【００３０】
グリップ２１の開閉方向に平行に配置されるホルダーの側壁５５の内側には、ラック４１ａに設けられた凸条４６ａが摺動自在に嵌り込む凹溝５８が設けられている。さらに凹溝５８の下方に支軸３３の一端部が嵌り込む嵌合溝６０が設けられている。
【００３１】
同様に平板５３の内側には、ラック４１ｂに設けられた凸条４６ｂが摺動自在に嵌り込む凹溝５９が設けられている。さらに凹溝５９の下方に支軸３３の他端部が嵌り込む嵌合溝６１が設けられている。平板５３に設けられた凹溝５９及び嵌合溝６１と、側壁５５に設けられた凹溝５８及び嵌合溝６０とは同一である。
【００３２】
連結機構３１の各構成部品の組み付け要領を説明する（図２、図５参照）。ホルダー５１のコ字状の板材５２の嵌合溝６０に支軸３３の一端を嵌め込む。グリップ２１ａの連結部２３ａとグリップ２１ｂの連結部２３ｂとを、持ち手部２２ａ、２２ｂを閉じた状態で重ね合わせる。このときグリップ２１ａ、２１ｂは、持ち手部２２ａ、２２ｂの湾曲が共に外側に凸となるようにする。この状態で、支軸３３に貫通孔２４ａ、２４ｂを挿通する。このとき貫通孔２４ｂが嵌合溝６０に近い位置となるようにする。
【００３３】
挟み込み片１２ａに固着されたラック４１ａ及び挟み込み片１２ｂに固着されたラック４１ｂは以下のように組み合わせる。ラック４１ａの凸条４７ａをラック４１ｂの凹溝４８ｂに嵌め込み、凹部１７ａを有する面１３ａと凹部１７ｂを有する面１３ｂとを接触させた状態とする（図３参照）。
【００３４】
組み合わされた状態の挟み込み片１２ａ、１２ｂは、ラック４１ａに設けられた凸条４６ａをホルダー５１の凹溝５８に嵌め込む。このときラック４１ａの歯部４２ａとグリップ２１ｂの歯車３５ｂ、ラック４１ｂの歯部４２ｂとグリップ２１ａの歯車３５ａとが噛み合うように必要に応じてグリップ２１ａ、２１ｂを動かす。
【００３５】
最後に平板５３の凹溝５９がラック４１ｂの凸条４６ｂに、嵌合溝６１が支軸３３の端部に嵌り込むように平板５３を被せ、側壁５５と平板５３との間隔が狭まるように板材５２と平板５３とに荷重を加える。これにより支軸３３の両端部が嵌合溝６０、６１に圧入され、板材５２の側壁５４、５６の端部に平板５３が接しホルダー５１が形成されるとともに、ホルダー５１、グリップ２１ａ、２１ｂ、ラック４１ａ、４１ｂが所定の位置に固定され、連結機構３１が形成される。
【００３６】
電線工具１の使用方法について説明する。グリップ２１の持ち手部２２ａ、２２ｂを開くと、支軸３３を支点に、グリップ２１ａの歯車３５ａは反時計回りに、グリップ２１ｂの歯車３５ｂは時計回りに回転する。これに伴い歯車３５ａに噛み合うラック４１ｂ及びラック４１ｂに固着された挟み込み片１２ｂ、歯車３５ｂに噛み合うラック４１ａ及びラック４１ａに固着された挟み込み片１２ａは、挟み込み片１２ａ、１２ｂの間隔を広げるように互いに移動する。
【００３７】
挟み込み体１０を拡げた状態で、凹部１７ａ、１７ｂ間に変形した電線１０１を嵌め入れ、グリップ２１を閉じれば変形した電線１０１は、横断面が円となる。一度で電線１０１の横断面が円とならない場合は、変形した電線１０１の向きを変え、挟み込み体１０で挟み込めばよい。
【００３８】
以上のように電線工具１は、連結機構３１が支軸３３を支点に左右に回動するグリップ２１の回動運動を往復運動に変換し、挟み込み体１０に伝達する。このため左右一対のグリップ２１ａ、２１ｂを開くと左右一対の挟み込み片１２ａ、１２ｂが互いに平行状態を維持したまま離れ、左右一対のグリップ２１ａ、２１ｂを閉じると左右一対の挟み込み片１２ａ、１２ｂが互いに平行状態を維持したまま接近し、最終的に接触する。
【００３９】
ペンチ、プライヤ等は、左右の挟持片が支軸を中心に扇状に開閉するため、太い電線は滑り易いという問題があるが、電線工具１は左右一対の挟み込み片１２ａ、１２ｂが互いに平行状態を維持したままスライドするため、太い電線であっても確実に挟み込み体１０で挟込むことができる。電線１０１の中には、通電状態のものもあるため確実に挟み込むことができ安全に修復できることは重要である。また挟み込み体１０は、変形した電線１０１が嵌り込む凹部１７ａ、１７ｂを備えるので、素線がばらけることなく電線１０１の横断面を円にすることができる。
【００４０】
図６は、本発明の第１実施形態の電線工具１の連結機構３１の歯車３５の変形例である。図１に示す連結機構３１では、ラック４１ａ、４１ｂに噛み合う歯車３５ｂ、３５ａは、グリップ２１ｂ、２１ａの連結部２３ｂ、２３ａの先端周面に設けられている。これに対して、図６ではラック４１ｂ（４１ａ）に噛み合うピニオン３６ａ（３６ｂ）を使用する。
【００４１】
グリップ２１ａの連結部２３ａは、ピニオン３６ａを取り付けるための、間隔をあけて設けられた２枚の連結板２６ａを有する。グリップ２１ａの２枚の連結板２６ａ及びピニオン３６ａには、中心部に支軸３３が挿通する貫通孔２４ａ、３７ａが設けられている。またグリップ２１ａは、連結部２３ａの持ち手部２２ａ側にピニオン３６ａの歯に係止する爪（図示省略）を備える。
【００４２】
２枚の連結板２６ａの間にピニオン３６ａを嵌め込み、貫通孔２４ａと貫通孔３７ａとの位置を合わせると、爪（図示省略）がピニオン３６ａの歯に係止し、ピニオン３６ａの回転が阻止される。よってグリップ２１ａとピニオン３６ａとを支軸３３を介して連結するとグリップ２１ａとピニオン３６ａとは一体的に回転する。
【００４３】
図６においてはグリップ２１ａ及びピニオン３６ａについて説明したが、図示を省略したグリップ２１ｂ及びピニオン３６ｂは、グリップ２１ａ及びピニオン３６ａと同一である。これらは連結機構３１の各構成部品の組み付け要領と同じ要領で組み付けられ連結機構３１が形成される。
【００４４】
図１から図５に示す連結機構３１では、ラック４１ａ、４１ｂに噛み合う歯車３５ｂ、３５ａを加工する必要があるが、図６に示す連結機構３１では市販のラックアンドピニオンを使用することができるので製作が容易となる。図６に示すピニオンを使用する連結機構３１を備える電線工具１の使用方法及び作用効果は、図１から図５に示す第１実施形態の電線工具１と同じである。
【００４５】
図７は、本発明の第２実施形態の電線工具２の挟み込み体１１の分解図（Ａ）及び電線工具２の使用例を示す斜視図（Ｂ）である。図１から図５に示す第１実施形態の電線工具１と同一の構成には同一符号を付して説明を省略する。
【００４６】
電線工具２の基本構成は、電線工具１と同じであり、挟み込み体１１の形態のみ異なる。電線工具１では、挟み込み体１０を閉じたとき長手方向に平行に１つの円柱状の凹部１８が形成されるように挟み込み片１２ａ、１２ｂに半円柱状の凹部１７ａ、１７ｂが設けられている。これに対して電線工具２では、挟み込み体１１を閉じたとき短手方向に平行に３つの円柱状の凹部１８が形成されるように挟み込み片１２ａ、１２ｂに半円柱状の凹部１７ａ、１７ｂが設けられている。
【００４７】
電線工具２の挟み込み体１１を閉じたときに形成される３つの円柱状の凹部１８は、大きさがそれぞれ異なり、先端部１５ａ、１５ｂに近い程直径が小さくなっている。また挟み込み体１１を閉じたときに形成される３つの円柱状の凹部１８は、短手方向を貫通している。
【００４８】
電線工具２の使用方法は、電線工具１と基本的に同じであるが、挟み込み体１１を閉じたときに形成される大きさの異なる３つの円柱状の凹部１８を備えるので、電線１０１の大きさに応じて使い分けが可能であり使い勝手がよい。
【００４９】
図８は、本発明の第３実施形態の電線工具３の構成を説明するための平面図である。図１から図５に示す第１実施形態の電線工具１と同一の構成には同一符号を付して説明を省略する。
【００５０】
第３実施形態の電線工具３は、第１施形態の電線工具１と基本的構成を同じくし、変形した電線１０１、あるいは凹んだ電線１０１の横断面が円となるように修復する手法も同じであるが、挟み込み体２０、連結機構３２の構造及び動きが電線工具１と異なる。具体的には電線工具１は、グリップ２１ａ、２１ｂを開閉させると挟み込み片１２ａ、１２ｂが左右にスライドするが、第３実施形態の電線工具３では、グリップ２１ａ、２１ｂを開閉させると挟み込み片１２ａのみがスライドする。
【００５１】
電線工具３におけるグリップ２１ｂ、連結機構３２及び挟み込み片１２ａの構造は、電線工具１と同じである。具体的にはグリップ２１ｂの連結部２３ｂに設けられた歯車３５ｂとラック４１ａとが噛み合い、グリップ２１ｂを回動させるとラック４１ａがホルダー５１内で左右にスライドし、ラック４１ｂに固定された挟み込み片１２ａも一体的に左右にスライドする。
【００５２】
電線工具３においては、グリップ２１ａは連結部２３ａに歯車３５ａを備えておらず、ラック４１ｂも有していない。電線工具３では、ラック４１ｂの代わりにグリップ２１ａの連結部２３ａと挟み込み片１２ｂとを連結する連結体７１を備える。
【００５３】
連結体７１は、ラック４１ｂと同様に大略的には長方体形状を有するが、底面に歯部４２ｂはなく、代わりにグリップ２１ａの連結部２３ａ形状と合致する連結部７５を備える。連結体７１の幅Ｗ２は、挟み込み片１２ｂの幅Ｗ１の半分であり、連結体７１の長さＬ２は、挟み込み片１２ｂの厚さＴ１よりも長く設定されている。連結体７１は、上端７２が挟み込み片１２ｂの下端に、連結体７１と挟み込み片１２ｂとが直交するように固定されている（図８（Ｂ）参照）。
【００５４】
連結体７１は、内側側面７４にラック４１ａの内側側面４５ａに設けられた直線状の凸条４７ａが摺動自在に嵌り込む直線状の凹溝４８ｂを有する。連結体７１の外側側面には凸条はない。
【００５５】
連結体７１は、挟み込み片１２ｂの背面１４がホルダーの側壁５６の内面に接するようにホルダー５１に固定されている。連結体７１のホルダー５１に対する取付け高さは、第１実施形態の電線工具１のラック４１ｂと同じ位置である。連結体の連結部７５は、グリップ２１ａの連結部２３ａの先端に固定されている。
【００５６】
以上によりグリップ２１ａ、連結体７１、挟み込み片１２ｂ及びホルダー５１が一体的に固定されることとなる。このときグリップ２１ａは、貫通孔２４ａと嵌合溝６１とが一致するように、ホルダー５１に取付けられている。連結体７１は、凸条４６ｂを備えないためホルダーの平板５３には凹溝５９はない。
【００５７】
第３実施形態の電線工具３の使用方法は、第１実施形態の電線工具１と同じである。電線工具３では、電線工具１と異なり挟み込み体２０を構成する一方の挟み込み片１２ａのみスライドするが、作用効果は電線工具１と同じである。第３実施形態の電線工具３は、一方の挟み込み片が固定されているため第１実施形態の電線工具１に比較して歯車、ラックの数が半分であり、ホルダー５１等を含め連結機構３２の構成が単純となり安価に製作することができる。
【００５８】
第１から第３実施形態を用いて説明したように本発明の電線工具は、変形した電線が嵌り込む凹部を備える挟み込み片が、互いに平行状態を維持したまま接触し又は離れるようにスライドするのでペンチと異なり安全にまた簡単に潰れている電線を円形に戻すことができる。
【００５９】
本発明の電線工具は、上記実施形態に限定されるものではなく要旨を変更しない範囲で変更して使用することができる。例えば第３実施形態の電線工具３において、第２実施形態と同様の複数個の凹部１７ａ、１７ｂを備える挟み込み片１２ａ、１２ｂを使用することができる。
【００６０】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００６１】
１、２、３  電線工具
１０、１１、２０  挟み込み体
１２、１２ａ、１２ｂ  挟み込み片
１７ａ、１７ｂ  凹部
１８  円柱凹部
２１、２１ａ、２１ｂ  グリップ
２２ａ、２２ｂ  持ち手部
２３ａ、２３ｂ  連結部
２４ａ、２４ｂ  貫通孔
２６ａ、２６ｂ  連結板
３１、３２  連結機構
３３  支軸
３５ａ、３５ｂ  歯車
３６ａ、３６ｂ  ピニオン
３７ａ、３７ｂ  貫通孔
４１ａ、４１ｂ  ラック
４２ａ、４２ｂ  歯部
４６ａ、４６ｂ  凸条
４７ａ  凸条
４８ｂ  凹溝
５１  ホルダー
５２  コ字状に板材
５３  平板
５８、５９  凹溝
６０、６１  嵌合溝
７１  連結体
１０１  電線
【図１】
2019126221.tif 000003
【図２】
2019126221.tif 000004
【図３】
2019126221.tif 000005
【図４】
2019126221.tif 000006
【図５】
2019126221.tif 000007
【図６】
2019126221.tif 000008
【図７】
2019126221.tif 000009
【図８】
2019126221.tif 000010